(57)【要約】【課題】視度調整レンズの作動ピンがカム部材との係合方向にばね付勢されている構成であるため、視度調整レバーの操作方向によって、視度調整レバーの操作荷重が変化してしまう。【解決手段】視度調整のために可動に配置されたファインダー光学系と、ファインダー光学系を駆動するための可動部材と、可動部材とのガタを取るためのコイルバネと、可動部材の上下方向の動作を規制し、可動部材を付勢する可撓部を有する保持部材を有し、可動部材には保持部材の可撓部が摺動する摺動面が設けられ、摺動面が操作部材の操作荷重を略一定にするような傾斜面を有している。【選択図】図３ａ
2017032611.tif 000002
【特許請求の範囲】
【請求項１】
視度調整のために可動に配置されたファインダー光学系と、前記ファインダー光学系を駆動するための可動部材と、前記可動部材とのガタを取るためのコイルバネと、前記可動部材の上下方向の動作を規制し、前記可動部材を付勢する可撓部を有する保持部材を有し、前記可動部材には前記保持部材の可撓部が摺動する摺動面が設けられ、前記摺動面が傾斜面を有し、可橈部の付勢力が変化することを特徴とする視度調整機構。
【発明の詳細な説明】
【技術分野】
【０００１】
本発明は、ファインダーの視度調整機構に関する。
【背景技術】
【０００２】
従来、ビデオカメラレコーダーのビューファインダー装置には視度調整機構が備えられている。特許文献１で提案されている視度調整機構９０１は、図９に示すように、ファインダーに視度調整レンズ１１を備え、この視度調整レンズ１１を光軸方向へ移動可能にするためのファインダーの視度調整機構において、ファインダーキャビネット１に取り付けられて回動動作する視度調整レバー２０と、この視度調整レバー２０の支点軸１９を中心として一体に回動するカム部材１７と、視度調整レンズ１１から突出しカム部材１７に係合する作動ピン１３とから構成され、視度調整レンズ１１の作動ピン１３がカム部材１７との係合方向にばね１５によって付勢されているものである。
【先行技術文献】
【特許文献】
【０００３】
【特許文献１】特開平８−６５５５２号公報
【発明の概要】
【発明が解決しようとする課題】
【０００４】
しかしながら、上記従来例では視度調整レンズ１１の作動ピン１３がカム部材１７との係合方向にばね付勢され、レンズ移動によって付勢バネによる付勢力が変化する構成であるため、視度調整レバー２０の操作方向によって、視度調整レバー２０の操作荷重が変化してしまい、操作感が良くないという問題点があった。
【課題を解決するための手段】
【０００５】
本発明に係る視度調整機構は、視度調整のために可動に配置されたファインダー光学系と、ファインダー光学系を駆動するための可動部材と、可動部材とのガタを取るためのコイルバネと、可動部材の上下方向の動作を規制し、可動部材を付勢する可撓部を有する保持部材を有し、可動部材には保持部材の可撓部が摺動する摺動面が設けられ、摺動面が傾斜面を有し、可橈部の付勢力が変化することを特徴とする。
【発明の効果】
【０００６】
本発明に係る視度調整機構によれば、ファインダーの視度調整部の操作荷重の変動を小さくすることができ、使用者が違和感を感じることなく快適に操作できるようになる。
【図面の簡単な説明】
【０００７】
【図１ａ】本実施例のファインダーを分解して示した斜視図
【図１ｂ】本実施例のファインダーの光学系を分解して示した斜視図
【図１ｃ】ファインダー鏡筒の下部鏡筒の斜視図
【図１ｄ】ファインダー鏡筒の下部鏡筒を別方向から見た斜視図
【図２ａ】ファインダー下部外装の内部を示した斜視図
【図２ｂ】ファインダー下部外装を外部下側から見た斜視図
【図２ｃ】保持部材が視度調整に関わる部品を挟持している様子を示した斜視図
【図２ｄ】ファインダー光学系をファインダー下部外装に設置した状態の斜視図
【図２ｅ】ファインダー光学系と作動ピンとの接触状態の一例を示した要部正面図
【図３ａ】ファインダー内を動作する作動部材を示した斜視図
【図３ｂ】ファインダー内を動作する作動部材を別の方向から見た斜視図
【図４】視度調整機構の視度調整時の作動ピンと作動カムとの位置関係を示した概略図
【図５】ファインダー鏡筒がＬＣＤ（液晶表示装置）から最も接近した位置にあるときの断面図
【図６】ファインダー鏡筒がＬＣＤ（液晶表示装置）から最も離間した位置にあるときの断面図
【図７】ファインダー鏡筒がＬＣＤ（液晶表示装置）に接近しているときの作動部材と保持部材の可橈部の位置関係を示した斜視図
【図８】ファインダー鏡筒がＬＣＤ（液晶表示装置）に離間しているときの作動部材と保持部材の可橈部の位置関係を示した斜視図
【図９】従来例を示す図
【発明を実施するための形態】
【０００８】
以下、本発明を実施するための形態を図面に基づいて説明する。
【０００９】
＜第１の実施形態＞
以下、本発明によるファインダーの視度調整機構の実施例をビデオカメラのファインダーに適用した例をとって図面を参照して説明する。
【００１０】
図１（ａ）は本実施例のファインダー１０１を分解して示した斜視図、図１（ｂ）は本実施例のファインダー１０１の光学系を分解して示した斜視図、図１（ｃ）はファインダー鏡筒１０７の下部鏡筒１１４の斜視図、図１（ｄ）はファインダー鏡筒１０７の下部鏡筒１１４を別方向から見た斜視図である。図２（ａ）はファインダー下部外装１０３の内部を示した斜視図、図２（ｂ）はファインダー下部外装１０３を外部下側から見た斜視図、図２（ｃ）は保持部材１２８が視度調整に関わる部品を挟持している様子を示した斜視図、図２（ｄ）はファインダー光学系１０５をファインダー下部外装１０３に設置した状態の斜視図、図２（ｅ）はファインダー鏡筒１０７がＬＣＤ（液晶表示装置）１３０から最も接近した位置にあるときのファインダー光学系と作動ピンとの接触状態を示した要部正面図である。図３（ａ）はファインダー１０１内を動作する作動部材１２３を示した斜視図、図３（ｂ）はファインダー１０１内を動作する作動部材１２３を別の方向から見た斜視図である。
【００１１】
ファインダー１０１について図１〜図３を用いて説明する。
【００１２】
ファインダー１０１は図１に示すように外郭をファインダー上部外装１０２、ファインダー下部外装１０３、ファインダー後部外装１０４で構成されており、ファインダー１０１内部にはファインダー光学系１０５が配置されている。
【００１３】
ファインダー光学系１０５の前方側にはＬＣＤ（液晶表示装置）１３０が配置されている。ＬＣＤ（液晶表示装置）１３０に表示された映像は、ファインダー光学系１０５を通して拡大され、撮影者の目に到達する。このとき、ファインダー光学系１０５をＬＣＤ（液晶表示装置）１３０と撮影者の目の間で前後させることで、撮影者の視度に合致するようにファインダー光学系１０５の焦点位置を可変にするため、ファインダー光学系１０５は光軸方向に移動可能な構造になっている。
【００１４】
ファインダー光学系１０５は、ファインダー下部外装１０３に固定される光学系保持部材１０６、後述する視度調整機構を介して光軸方向に移動可能に配置されたファインダー鏡筒１０７、ファインダー光学系１０５を光軸方向に移動可能に保持する一対のガイド軸１０８ａ、１０８ｂ、ファインダー光学系１０５を付勢するコイルバネ１０９で構成されている。
【００１５】
ファインダー鏡筒１０７は第１のファインダーレンズ１１０、第２のファインダーレンズ１１１、第３のファインダーレンズ１１２が上部鏡筒１１３、下部鏡筒１１４に挟持されるように移動不能に固定されている。
【００１６】
次に、本発明のファインダー鏡筒１０７の視度調整機構について説明する。
【００１７】
下部鏡筒１１４の下側方に円形軸孔１１５ａ、１１５ｂ、長穴軸孔１１６ａ、１１６ｂを有するガイドが設けられている。また、下部鏡筒１１４の下面には作動カム１１７が垂設されている。光学系保持部材１０６前後方向端部の両側方軸受部１１８ａ、１１８ｂ、１１９ａ、１１９ｂにガイド軸１０８ａ、１０８ｂの両端部が圧入固定されている。円形軸孔１１５ａ、１１５ｂには、ガイド軸１０８ａが挿入され、長穴軸孔１１６ａ、１１６ｂにはガイド軸１０８ｂが挿入される。これによって、ファインダー鏡筒１０７をガイド軸１０８ａ、１０８ｂに沿って光軸方向へ移動可能に支持している。また、ガイド軸１０８ａ、１０８ｂには一方の軸受部１１８ａ、１１９ａと下部鏡筒１１４の端部との間にコイルバネ１０９が挿着され、ファインダー鏡筒１０７をＬＣＤ（液晶表示装置）１３０と離間する方向に付勢している。
【００１８】
一方、ファインダー下部外装１０３の底面には、図２（ａ）に示すように作動ピン２０２を有する作動部材１２３が光軸方向と直交する方向に移動可能に配置されている。この作動部材１２３にはラック形状１２４が形成されており、作動歯車１２５と嵌合している。作動歯車１２５は、図１（ａ）、図２（ａ）、図２（ｂ）に示すように、中心に挿通孔１２６が配置され、視度調整操作部材１２７とビスなどの固定部材によりファインダー下部外装１０３を挟んで回動可能に固着されている。これによって、視度調整操作部材１２７の回動操作により、作動歯車１２５を一体に回動動作させ、作動歯車１２５とラック形状１２４により嵌合した作動部材１２３を動作させることができる。なお、図２（ａ）に示すように作動部材１２３の動作範囲は、ファインダー下部外装１０３に形成した動作規制部２０１ａ、２０１ｂ内の範囲で規制され、作動部材１２３の端部が当接することで、視度調整操作部材１２７の動作が停止するようになっている。
【００１９】
これらの視度調整の動作に関わる部材は、図２（ｃ）に示すように保持部材１２８によってファインダー下部外装１０３との間に挟持されている。また、保持部材１２８に設けられた可撓部１２９は作動部材１２３に配置された摺動面３０１をチャージするように当接しており、可橈部１２９の撓みによって発生する押圧力で作動部材１２３をファインダー下部外装１０３に押し付けることで視度調整操作時の操作荷重を出している。
【００２０】
図２（ｄ）に示すようにファインダー光学系１０５は、図２（ｃ）に示す状態のファインダー下部外装１０３に対して、作動部材１２３の作動ピン２０２に、下部鏡筒１１４の作動カム１１７を係合させるように取り付けられている。このとき、図２（ｅ）に示すように作動ピン２０２はコイルバネ１０９の押圧力によって作動カム１１７に当接させるような取り付け方がされている。
【００２１】
作動部材１２３の構成について図３を用いて説明する。
【００２２】
作動部材１２３は前述した作動ピン２０２、ラック形状１２４、摺動面３０１のほかに、ファインダー下部外装１０３と嵌合、摺動する嵌合摺動部３０２、ファインダー下部外装１０３を摺動する摺動リブ３０３で構成されている。保持部材１２８の可橈部１２９が摺動する作動部材１２３側の摺動面３０１は、作動部材１２３の動作方向に高低差を持つように低所摺動面３０４、高所摺動面３０５、低所摺動面３０４と高所摺動面３０５との間をつなぐ傾斜面３０６を有している。保持部材１２８の可橈部１２９は低所摺動面３０４、高所摺動面３０５、傾斜面３０６を摺動することで、可橈部１２９の撓み量が変化し、撓みにより発生する荷重が増減することが可能になる。
【００２３】
このように構成した視度調整機構の視度調整時の動作について説明する。
【００２４】
図４は図２（ｅ）のＸ−Ｘ断面で切断した時の視度調整機構の視度調整時の作動ピン２０２と作動カム１１７との位置関係を示した概略図、図５はファインダー鏡筒１０７がＬＣＤ（液晶表示装置）１３０から最も接近した位置にあるときの断面図、図６はファインダー鏡筒１０７がＬＣＤ（液晶表示装置）１３０から最も離間した位置にあるときの断面図である。
【００２５】
ファインダー鏡筒１０７がＬＣＤ（液晶表示装置）１３０に接近しているとき（図５）の作動ピン２０２と作動カム１１７との位置関係は図４に実線で示したようになっている。このとき、作動部材１２３の作動ピン２０２は、圧縮されたコイルバネ１０９から受ける押圧力（ＦＣ）によって下部鏡筒１１４が押されることでファインダー下部外装１０３の作動カム１１７のａ点で接触している。
【００２６】
この状態から視度調整操作部材１２７を回動操作して連結した作動歯車１２５を時計方向（図２（ａ）矢印Ａ方向）へ回動すると、作動部材１２３の作動ピン２０２が動作規制部２０１ｂに接近する方向に移動し、仮想線で示すように作動カム１１７のｂ点が作動ピン２０２に接触する。このとき、ファインダー鏡筒１０７がＬＣＤ（液晶表示装置）１３０から最も離間した位置（図６）に移動する。
【００２７】
ファインダー鏡筒１０７は圧縮されたコイルバネ１０９が元の長さに戻るときに生じる押圧力を受けて、作動ピン２０２との接触を維持しながら移動する。
【００２８】
このとき、作動部材１２３の水平動作により実線位置にあった作動カム１１７は仮想線位置まで移動することになり、作動カム１１７の角度αの余弦成分だけ並進移動することになり、ファインダー鏡筒１０７はガイド軸１０８ａ、１０８ｂに沿って最も前進した位置まで移動させることができる。
【００２９】
また、視度調整操作部材１２７を回動操作して連結した作動歯車１２５を反時計方向（図２（ａ）矢印Ｂ方向）へ回動することで、ファインダー鏡筒１０７をＬＣＤ（液晶表示装置）１３０に接近させる方向に動作することが可能である。
【００３０】
このように視度調整操作部材１２７による作動歯車１２５の回動操作により作動部材１２３の作動ピン２０２を介してファインダー鏡筒１０７を光軸方向に調整することができる。
【００３１】
続いて、視度調整機構の視度調整時の操作荷重について説明する。
【００３２】
図７はファインダー鏡筒１０７がＬＣＤ（液晶表示装置）１３０に接近しているときの作動部材１２３と保持部材１２８の可橈部１２９の位置関係を示した斜視図、図８はファインダー鏡筒１０７がＬＣＤ（液晶表示装置）１３０に離間しているときの作動部材１２３と保持部材１２８の可橈部１２９の位置関係を示した斜視図である。
【００３３】
視度調整機構の視度調整時の操作荷重（Ｆ０）は、コイルバネ１０９により発生する荷重（ＦＣ）と保持部材１２８の可橈部１２９で発生する荷重（ＦＰ）とすると、
Ｆ０＝ｆ（ＦＣ）＋ｇ（ＦＰ）    （式１）
で表すことができる。ｆ（ＦＣ）はＦＣの関数、ｇ（ＦＰ）はＦＰの関数である。
【００３４】
図５に示すようにファインダー鏡筒１０７がＬＣＤ（液晶表示装置）１３０に接近しているとき、ファインダー鏡筒１０７によってコイルバネ１０９が圧縮された状態になっており、コイルバネ１０９により発生する荷重（ＦＣ）は視度調整の範囲内で最大となる。
【００３５】
その一方で、図７に示すように、保持部材１２８の可橈部１２９は作動部材１２３の低所摺動面３０４に位置しているため、可橈部１２９で発生する荷重（ＦＰ）は視度調整の範囲内で最小となる。この状態では、ファインダー下部外装１０３の作動カム１１７を介してコイルバネ１０９により発生する荷重（ＦＣ）を受けるため、荷重（ＦＰ）は、荷重（ＦＣ）によって作動部材１２３が動いてしまわないような荷重に設定されている。
【００３６】
また、図８に示すようにファインダー鏡筒１０７がＬＣＤ（液晶表示装置）１３０から離間しているとき、ファインダー鏡筒１０７によってコイルバネ１０９が伸長された状態になっており、コイルバネ１０９により発生する荷重（ＦＣ）は視度調整の範囲内で最小となる。
【００３７】
その一方で、保持部材１２８の可橈部１２９は作動部材１２３の低所摺動面３０４に位置しているため、可橈部１２９で発生する（ＦＰ）は視度調整の範囲内で最大となる。この状態では、ファインダー下部外装１０３に付勢するコイルバネ１０９により発生する荷重（ＦＣ）が最小となるため、荷重（ＦＣ）はファインダー鏡筒１０７の作動カム１１７を作動ピン２０２に押し付けることができるような荷重に設定されている。
【００３８】
ファインダー鏡筒１０７がＬＣＤ（液晶表示装置）１３０に接近している位置から、離間している位置に移動する最中は、作動部材１２３の傾斜面３０６を保持部材１２８の可橈部１２９が傾斜面３０６を摺動するように動作する。その際、傾斜面３０６はコイルバネ１０９により発生する荷重（ＦＣ）と可橈部１２９で発生する荷重（ＦＰ）は、式１に示す操作荷重（Ｆ０）が略一定になるような傾斜になるように設定されている。このように構成することで、可橈部１２９の変位、コイルバネ１０９の変位に関わらず、視度調整操作部材１２７の操作荷重を略一定に保つことが可能となり、使用者が違和感を感じることなく快適に操作できるようになる。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４０】
１０１  ファインダー、１０３  ファインダー下部外装、１０５  ファインダー光学系、
１０９  コイルバネ、１１４  下部鏡筒、１１７  作動カム、１２３  作動部材、
１２８  保持部材、１２９  可橈部、２０２  作動ピン、３０１  摺動面、
３０４  低所摺動面、３０５  高所摺動面、３０６  傾斜面
【図１ａ】
2017032611.tif 000003
【図１ｂ】
2017032611.tif 000004
【図１ｃ】
2017032611.tif 000005
【図１ｄ】
2017032611.tif 000006
【図２ａ】
2017032611.tif 000007
【図２ｂ】
2017032611.tif 000008
【図２ｃ】
2017032611.tif 000009
【図２ｄ】
2017032611.tif 000010
【図２ｅ】
2017032611.tif 000011
【図３ａ】
2017032611.tif 000012
【図３ｂ】
2017032611.tif 000013
【図４】
2017032611.tif 000014
【図５】
2017032611.tif 000015
【図６】
2017032611.tif 000016
【図７】
2017032611.tif 000017
【図８】
2017032611.tif 000018
【図９】
2017032611.tif 000019